(57)【特許請求の範囲】
【請求項１】
照明光を発生する光源ランプと、
内視鏡のライトガイドコネクタが着脱自在に接続されるコネクタ受と、
前記光源ランプから発せられた照明光の光路上に配置され、前記ライトガイドコネクタが未接続であるとき、前記コネクタ受からの照明光を遮断し、該ライトガイドコネクタが接続されているときは、該ライトガイドコネクタの先端により該光路上から退避される光遮断手段と、
前記光遮断手段の位置が前記光路上から退避した位置、または、前記コネクタ受からの照明光を遮る位置にあるかに基づき、前記コネクタ受にライトガイドコネクタが接続されたか否かを判別する接続判別手段と、
前記ライトガイドコネクタの挿脱方向に沿って移動自在であって、前記コネクタ受に接続される前記ライトガイドコネクタの種類により決定されるライトガイドに入射する光量に応じた距離を移動する応動部材の位置に基づき、前記コネクタ受に接続されたライトガイドコネクタの種類を判別する種類判別手段と、
前記接続判別手段において、前記コネクタ受にライトガイドコネクタが接続されていないと判断し、且つ前記種類判別手段において、前記ライトガイドコネクタの種類が判別された場合には、前記種類判別手段において判別した前記ライトガイドコネクタの種類によらず、前記ライトガイドに入射する照明光の光量を低輝度のライトガイドコネクタに応じた光量とするよう制御を行う制御部と
を備えることを特徴とする内視鏡用光源装置。
【請求項２】
前記制御部は、前記接続判別手段および前記種類判別手段の判別結果に基づいて、該内視鏡光源装置の設定スイッチあるいは表示部を切り替えることを特徴とする請求項１に記載の内視鏡用光源装置。
【発明の詳細な説明】
【技術分野】
【０００１】
本発明は、内視鏡用光源装置に関する。
【背景技術】
【０００２】
内視鏡システムには、被写体を照射するため、内視鏡に組み込まれたライトガイドに照明光を供給する光源装置が設けられている。ライトガイドは光源装置と組み合わされて使用され、様々な種類が存在する。例えば入射端径の小さいタイプのライトガイド等においては、入射する照明光を明るくし過ぎると、生腔内での照射部位の発熱量が大きくなり過ぎる恐れがある。そこで、内視鏡の使用時には、ライトガイドの種類に応じて供給する照明光の明るさを調整する必要がある。このような課題を解決するため、内視鏡の光源装置に接続されるライトガイドの種類に応じて最適な照明光の明るさおよび配光を得ることのできる内視鏡用光源装置について開示されている（例えば、特許文献１）。
【０００３】
図１４は、かかる内視鏡用光源装置の構造図である。同図における光源装置では、接続されるライトガイドコネクタ１０８の種類を判別するライトガイドコネクタ判別手段１６３、１６４と、照明光の光路上に照明光を制限する制限手段１２９とを設け、判別手段１６３、１６４により判別されたライトガイドコネクタ１０８の種類に応じて、ライトガイドに入射する照明光の光量を適正に調整する光量調整手段とを備えて構成される。ライトガイドの先端における焼けの発生や、体腔内に熱傷を引き起こさないよう、ライトガイドの入射端径の小さい内視鏡であっても、入射させる照明光の明るさが強すぎることのないよう、最適な明るさの照明光を内視鏡に供給することができる。
【特許文献１】特開２００３−２１０４０３号公報（要約、図３、図９、段落０００５〜０００７）
【発明の開示】
【発明が解決しようとする課題】
【０００４】
安全上の観点からは、光源装置を含む内視鏡システムの一部分に故障（以下、単一故障とする）が発生した場合であっても、内視鏡システムの操作者や被検体である患者等にとって常に安全であるような内視鏡用光源装置が望ましい。
こうした要求を満たす光源装置の一つとして、接続される内視鏡の種類によって、操作者が安全な明るさに切り替えるためのスイッチをその操作パネル上に設けた光源装置がある。かかる光源装置では、ライトガイドの単一故障時には、操作パネル上からライトガイドの照明光の光量を調整することができるのが一般的である。しかし、ライトガイドの単一故障によって想定しない光量の照明光が内視鏡に入射した場合であっても操作者のスイッチ操作によらなければ光量を調整できない。かかる非常時であっても操作者のスイッチ操作によらずに光量を調整することのできる、より安全性を高めた光源装置が求められていた。
【０００５】
本発明は、内視鏡のライトガイドの種類あるいは接続状態を判別する手段が故障した場合等においても、光源装置内で自動的に安全な光量に調整がなされ、ライトガイドや生体への熱傷を防止することができる内視鏡用光源装置を提供することを目的とする。
【０００６】
本発明によれば、照明光を発生する光源ランプと、内視鏡のライトガイドコネクタが着脱自在に接続されるコネクタ受と、前記光源ランプから発せられた照明光の光路上に配置され、前記ライトガイドコネクタが未接続であるとき、前記コネクタ受からの照明光を遮断し、該ライトガイドコネクタが接続されているときは、該ライトガイドコネクタの先端により該光路上から退避される光遮断手段と、前記光遮断手段の位置が前記光路上から退避した位置、または、前記コネクタ受からの照明光を遮る位置にあるかに基づき、前記コネクタ受にライトガイドコネクタが接続されたか否かを判別する接続判別手段と、前記ライトガイドコネクタの挿脱方向に沿って移動自在であって、前記コネクタ受に接続される前記ライトガイドコネクタの種類により決定されるライトガイドに入射する光量に応じた距離を移動する応動部材の位置に基づき、前記コネクタ受に接続されたライトガイドコネクタの種類を判別する種類判別手段と、前記接続判別手段において、前記コネクタ受にライトガイドコネクタが接続されていないと判断し、且つ前記種類判別手段において、前記ライトガイドコネクタの種類が判別された場合には、前記種類判別手段において判別した前記ライトガイドコネクタの種類によらず、前記ライトガイドに入射する照明光の光量を低輝度のライトガイドコネクタに応じた光量とするよう制御を行う制御部とを備えることを特徴とする内視鏡用光源装置が提供される。
【０００７】
接続判別手段が、コネクタ受にライトガイドコネクタが接続されているか否かを判断し、種類判別手段が、コネクタ受に接続されたライトガイドコネクタの種類を判別する。２つの判別手段の判別結果の組合せから、いずれかの判別手段に故障が発生してもこれを検知し、制御を行う。
【０００８】
上記制御とは、光源ランプから供給される照明光の光量を適切に調整することでもよい。また、光源装置の操作パネル上の設定スイッチや表示部の切り替えを行わせてもよい。
ライトガイドコネクタが未接続のときに照明光が光源装置から漏れることのないよう、光遮断手段を更に設けてもよい。光遮断手段は、弾性部材で構成されることとしてもよいし、蝶番で構成されることとしてもよい。
【発明の効果】
【０００９】
本発明によれば、ライトガイドコネクタの接続の有無および接続されているライトガイドコネクタの種類を判別することができる。ライトガイドコネクタの接続状態に応じて、照明光を適切な光量に調整することができる。
【発明を実施するための最良の形態】
【００１０】
以下、本発明の好適な実施の形態について、図面を参照しながら詳細に説明する。
＜参考例＞
参考例における光源装置について説明する。図１は、本発明の参考例に係る内視鏡システムの全体構成についての概略図である。内視鏡システム３は、内視鏡２と、内視鏡２内に照明光を供給する光源装置１とを備えて構成される。
【００１１】
内視鏡２は、例えば体腔内の観察および処置を行うのに用いられ、挿入部４、操作部５およびライトガイドケーブル６を備えて構成される。操作部５は、挿入部４の基端側に形成される。ライトガイドケーブル６は、操作部５の側面に接続され、その先端部にはライトガイドコネクタ７が設けられている。ライトガイドコネクタ７は、光源装置１の出力端であるコネクタ受部８に接続が可能である。光源装置１から内視鏡２内に供給される照明光は、内視鏡２内に設けられた挿入部４の先端から被写体に向けて出射される。照明された被写体の像は、挿入部４の先端から内視鏡２内に設けられたイメージガイドにて導光され、光学系を介して観察および診断がなされる。
【００１２】
なお、ＣＣＤ等の撮像装置を内蔵したテレビカメラヘッド９を取り付けて撮像するテレビカメラシステムを採用する場合にあっては、テレビカメラヘッド９からの撮像電気信号を、カメラコントロールユニット（ＣＣＵ）１０で信号処理した後、モニタ１１へ映像信号を送ることでモニタ１１の画面に被写体像を映し出し、観察、診断を行う。
【００１３】
図２は、図１の内視鏡システムの、光源装置１の概略図である。光源装置１は、本体内部にランプ１２を備える。ランプ１２から出射した照明光は、光学系を通じてコネクタ受部８に接続された内視鏡２の、ライトガイドコネクタ７のライトガイド１３に入射する。
図３は、図２の光源装置１の光学系の構成図である。照明光の光路上には、ランプ１２から順に、出射側レンズ１４、絞り１５、第１の入射側レンズ１６、第２の入射側レンズ１７および制限手段１８が配置されている。
【００１４】
出射側レンズ１４は、ランプ１２から出射した照明光を最初に受けて、集光光線を形成する。絞り１５は、集光点の直前の領域に配置され、照明光を制限してその明るさを制御する。なお、絞り１５は図２の調光回路１９によって制御され、被写体の明るさが一定となるように絞り調整がなされる。照明光は、絞り１５を経て第１の入射側レンズ１６に入射し、平行光線に変換される。平行光線に変換された後、照明光は第２の入射側レンズ１７に入射し、再び集光される。集光された照明光は、コネクタ受部８に接続された内視鏡２の、ライトガイドコネクタ７のライトガイド１３先端に入射する。
【００１５】
制限手段１８は、例えばマスクを含んで構成され、第１の入射側レンズ１６と第２の入射側レンズ１７との間であって、第１の入射側レンズ１６によって平行光線に変換された照明光が入射する位置に配置される。不図示の制御部からの命令に基づいて、ライトガイドコネクタ７のライトガイド１３先端に入射する照明光をマスク等によって制限する。制限手段１８によって、ライトガイド１３先端に入射する照明光が、内視鏡２のライトガイドコネクタ７の種類に応じて適正な光量に制限される。
【００１６】
図４は、光源装置１のコネクタ受部８の断面図である。光源装置１内のコネクタ受部８には、２つの判別手段が設けられる。
２つの判別手段のうち、一方の判別手段である種類判別手段は、光学式センサー２０と、遮光部６３を備える応動部材２１とから構成される。ばね等の弾性体により、応動部材２１は常に図４の左方向に不図示のガイド手段により付勢されている。応動部材２１は、コネクタ受部８に内視鏡２のライトガイドコネクタ７が接続されたときに、ライトガイドコネクタ７の差込軸方向へ移動自在に設けられている。最左端には、固定ねじ６２によって固定されたストッパ６１が設けられており、応動部材２１の左方向への移動を制限している。
【００１７】
他方の判別手段である接続判別手段は、光学式センサー２６と、弾性部材にて形成された遮光ばね２７とから構成される。光学式センサー２６は、ブラケット３３に係合爪等で固定されており、遮蔽物の有無を検知する。ブラケット３３は、コネクタ受部８に設けた固定ねじ３４にて締結されている。遮光ばね２７は、コネクタ受部８に設けられた固定ねじ３０に凡そ片持ち状態で締結され、窪み部２９の斜面６４を押圧するように付勢されている。ライトガイドコネクタ７が未接続の場合であっても、光源であるランプ１２からの照明光が遮光ばね２７によって遮られ、光源装置１から大量の光が漏れて内視鏡２に入射することがない。
【００１８】
図５は、遮光ばね２７の一例を示す図である。遮光ばね２７には、曲げ上げ部３１が設けられている。コネクタ受部８に取り付けられる際には、曲げ上げ部３１には、例えば、遮光性に優れた黒色系からなる絶縁シート３２等が固定される。
内視鏡２のライトガイドコネクタ７をコネクタ受部８の挿通穴２８に挿入すると、ライトガイドコネクタ７の先端により低力量で遮光ばね２７が図４では斜め上方に押し上げられる。遮光ばね２７は、凡そ円の軌跡を描いて斜め上方に退避する。絶縁シート３２の先端部は、遮光ばね２７の斜め上方への退避運動に伴い、斜め上方に移動する。
【００１９】
絶縁シート３２の移動量は、光学式センサー２６の感知領域よりも大きく設定されている。このため、絶縁シート３２は、ライトガイドコネクタ７未接続の場合は光学式センサー２６の感知領域内に位置しているが、ライトガイドコネクタ７を接続した場合は感知領域外へ退避する。これより、絶縁シート３２の移動により、光学式センサー２６は、その感知する領域内の遮蔽物がなくなったとして「遮蔽物なし」と認識する。ライトガイドコネクタ７が未接続の場合、絶縁シート３２によって、光学式センサー２６は、「遮蔽物有り」と認識する。
【００２０】
なお、光学式センサー２６は光源装置１内で２次回路の一部を構成し、一方、遮光ばね２７は、光源装置１内で患者回路の一部を構成する。絶縁シート３２は、２次回路の光学式センサー２６と患者回路の遮光ばね２７とが電気的に接触しないよう、光学式センサー２６と遮光ばね２７との絶縁距離を安全上の観点から確保するために設けられる。光源装置の回路構成によっては、遮光ばね２７の曲げ上げ部３１を、ライトガイドコネクタ７未接続時は直接感知領域にあり、ライトガイドコネクタ７が挿入されると光学式センサー２６の感知領域から外れるような位置に配置させることとしてもよい。
【００２１】
図６は、参考例における、ライトガイドコネクタと種類判別手段との関係を説明する図である。同図に表されるライトガイドコネクタに関し、（ａ）では低輝度用ライトガイドコネクタ２５、（ｂ）では中輝度用ライトガイドコネクタ２３である。（ａ）の低輝度用ライトガイドコネクタ（以下、低輝度コネクタ）２５は、フランジ形状が設けられていない。これに対し、（ｂ）の中輝度用ライトガイドコネクタ（以下、中輝度コネクタ）２３には、フランジ部２４が設けられている。フランジ部２４の高さ寸法をＸとする。ここで、フランジ部２４の高さ寸法とは、ライトガイドコネクタの未挿入時における応動部材２１の左端の位置を基準とし、中輝度コネクタ２３の接続時の、応動部材２１の左端の位置、すなわちフランジ部２４とライトガイドコネクタとが当接する位置によって定められる。
【００２２】
フランジ部２４の有無により、低輝度コネクタ２５、中輝度コネクタ２３を接続した際の応動部材２１の位置は、図６に示されるように、寸法Ｘ分異なる。寸法Ｘは、図６（ａ）で表される応動部材２１の初期位置から、図６（ｂ）で表される応動部材２１の遮光部６３が光学式センサー２０の感知領域内に収まる位置まで、低輝度コネクタ２５が移動するのに必要な距離に設定される。このため、同図の（ａ）のように、低輝度コネクタ２５接続時には、応動部材２１の遮光部６３は光学式センサー２０の感知領域外に位置し、光学式センサー２０は「遮蔽物なし」と認識する。（ｂ）の中輝度コネクタ２３接続時には、フランジ部２４の端部（図中の右端）が応動部材２１の端部（図中の左端）に当接した状態で、応動部材２１がばね等の付勢力に抗して寸法Ｘだけ押し込まれるので、応動部材２１の遮光部６３が光学式センサー２０の感知領域内に移動し、光学式センサー２０は「遮蔽物有り」と認識する。このように、光学式センサー２０と応動部材２１とにより、低輝度コネクタ２５と中輝度コネクタ２３との区別が可能とされる。
【００２３】
２つの判別手段、すなわち光学式センサー２６と遮光ばね２７とから構成される接続判別手段と、光学式センサー２０と応動部材２１とから構成される種類判別手段とによって、正常に低輝度コネクタ２５あるいは中輝度コネクタ２３が接続された場合、およびライトガイドコネクタ未接続時の正常な検知状態を区分することができる。
【００２４】
図７（ａ）は、参考例において、正常にライトガイドが接続されたときの２つの光学式センサー２０、２６の検知状態の組合せを示す図である。同図中の「○」は、光学式センサー２０、２６それぞれについて、その感知領域内に「遮蔽物有り」と判断され、図３では不図示の制御部が、ショート信号を受けることを表し、「×」は、感知領域内には「遮蔽物なし」と判断され、制御部がオープン信号を受けることを表す。例えば、光学式センサー２０にて「遮蔽物有り」と感知され、光学式センサー２６にて「遮蔽物なし」と感知される場合、検知状態の組合せを（○、×）と表すことにする。ライトガイド未接続、低輝度コネクタ２５接続時および中輝度コネクタ２３接続時の、２つの光学式センサーの検知状態は下のようになる。
（１）ライトガイドコネクタが未接続のときは、（×、○）である。光学式センサー２０は「遮蔽物なし」、光学式センサー２６は絶縁シート３２により「遮蔽物有り」とされる。
（２）図６（ａ）の低輝度コネクタ２５を接続したときは、（×、×）である。応動部材２１が移動しないことから光学式センサー２０は「遮蔽物なし」のままで、光学式センサー２６は絶縁シート３２の退避により「遮蔽物なし」とされる。
（３）図６（ｂ）の中輝度コネクタ２３を接続したときは、（○、×）である。応動部材２１が寸法Ｘだけ奥へ移動することから光学式センサー２０は「遮蔽物有り」とされ、絶縁シート３２の退避により光学式センサー２６は「遮蔽物なし」とされる。
【００２５】
このように、２つの光学式センサーの検知状態の組合せにより、ライトガイドコネクタが未接続、低輝度コネクタの接続あるいは中輝度コネクタの接続のうち、いずれの状態であるかを判別することができる。２つの光学式センサーの検知状態の組合せに基づいて、図３では不図示の制御部が制限手段１８に対し、適正な光量の照明光を出射するよう指示する。
【００２６】
図７（ｂ）は、光学式センサー２０が故障したときの、２つの光学式センサーの検知状態を示す図である。中輝度コネクタ２３が接続されていても、光学式センサー２０の故障により正しく状態を認識することができず、低輝度コネクタ２５の接続時と同じ（×、×）の検知状態を示す。この場合であっても、光源装置１の制御部が、低輝度コネクタ２５接続時の適正な光量の照明光を出射させる。
【００２７】
図７（ｃ）は、光学式センサー２６が故障したときの、２つの光学式センサーの検知状態を示す図である。ライトガイドコネクタが未接続の場合であっても、光学式センサー２６の故障により正しく状態を認識することができず、低輝度コネクタ２５接続時と同じ検知状態（×、×）を示す。この場合であっても、照明光は遮光ばね２７によって遮断されており、照明光が光源装置１の外部に漏れることを防ぐ。
【００２８】
図７を参照して説明したように、光学式センサー２０あるいは２６の断線や接続端子が抜けたこと等、故障が発生した場合であっても、光学式センサー２０、２６の検知状態の変化に基づいて光源装置１から出射される光量が適宜制限されるため、安全面に関する問題の発生を防止する。
【００２９】
なお、絶縁シート３２が取り付け位置から脱落することによる故障の場合は、ライトガイドコネクタが接続されていない場合であっても光学式センサー２６にて「遮蔽物なし」と認識され、図７（ｃ）と同様の検知状態（×、×）が得られる。ライトガイドが未接続であっても、遮蔽ばね２７によって照明光が遮られる。このため、照明光が光源装置１の外部に漏れることはない。
【００３０】
図７の、２つの光学式センサーの検知状態の組合せに基づいて、光源装置１の操作パネル上の表示を切り替えることもできる。図８は、参考例における操作パネルの一例である。操作パネル３６上には、各種の設定スイッチ３７や表示用ＬＥＤ３８が配置されている。設定スイッチ３７として、例えば輝度を設定する輝度スイッチ３９、送気／送水スイッチ４１および透過照明スイッチ４２等が配置されている。表示用ＬＥＤ３８として、例えば輝度表示ＬＥＤ４０や透過照明表示ＬＥＤ４３が配置されている。
【００３１】
輝度スイッチ３９は、照明光を中輝度や低輝度に切り替えるスイッチであり、例えば、中輝度の照明光に耐性を有する外科用ライトガイドを接続するときに使用する。送気／送水スイッチ４１は、送気や送水の機能のオン／オフを切り替えるスイッチである。透過照明スイッチ４２は、一定時間のみ大光量を照射して体腔内の内視鏡位置を目視にて確認する際に用いられる、透過照明機能を実現するスイッチである。送気／送水スイッチ４１と透過照明スイッチ４２とは、消化管用軟性鏡のみで使用される。なお、ここでの消化管用軟性鏡は、低輝度で使用されるものとする。
【００３２】
参考例における操作パネル３６の表示の切り替えを、例を挙げて説明する。低輝度で使用される消化管用軟性鏡のライトガイドを接続するときは、使用しない輝度スイッチ３９をオフに設定し、輝度表示ＬＥＤ４０を消灯させる。送気／送水スイッチ４１、透過照明スイッチ４２をオンにし、透過照明表示ＬＥＤ４３を点灯させる。
【００３３】
例えば外科用ライトガイド等の、中輝度で使用されるライトガイドを接続するときは、輝度スイッチ３９をオンに設定し、輝度表示ＬＥＤ４０を点灯させる。使用しない送気／送水スイッチ４１および透過照明スイッチ４２はオフに設定し、透過照明表示ＬＥＤ４３を消灯させる。
【００３４】
ライトガイドコネクタが未接続のときは、騒音を低減させるため、光源装置１内部のポンプ駆動を停止させる。加えて、操作パネル３６上の設定スイッチ３７や表示用ＬＥＤ３８によって示される機能はいずれも用いないとして、全ての設定スイッチ３７をオフに設定し、表示用ＬＥＤ３８を消灯させる。
【００３５】
以上説明したように、参考例における光源装置によれば、コネクタ受部に接続されるライトガイドの種類を判別する種類判別手段と、ライトガイドがコネクタ受部に接続されているか否かを判別する接続判別手段とが設けられ、更に、ライトガイドコネクタが未接続の際に、光源ランプからの照明光が光源装置の外部に漏れ出すことを防止する光遮断手段である遮光ばねが設けられている。種類判別手段および接続判別手段によって、ライトガイドコネクタの接続の有無、接続されているライトガイドコネクタの種類が判別される。ライトガイドコネクタが未接続である場合は、光遮断手段である遮光ばねによって照明光が外部に漏れないようにされている。ライトガイドコネクタ接続されている場合は、判別結果に基づいて、安全な光量に調整するよう制御される。
【００３６】
種類判別手段と接続判別手段のそれぞれの判別結果を組み合わせてライトガイドの接続状態および接続されたライトガイドコネクタの種類を判断している。このため、各判別手段が単一で故障した場合であっても、２つの判別手段の判別結果の組合せに基づいて適切な光量に調整を行い、ライトガイドの焼けや被検体等の熱傷等の発生を未然に確実に防ぐことができる。更に、接続されたライトガイドコネクタの種類に応じて、操作者にとって使い勝手が良く、誤操作を未然に防ぐ操作パネルの表示を実現することもできる。
＜実施例＞
本実施の形態における光源装置について説明する。本実施例においては、ライトガイドコネクタの種類を判別する種類判別手段を構成する光学式センサーが２個で構成され、照明光を遮断する光遮断手段が、チョウバンで構成されている点で参考例と差異を有する。内視鏡システム、光源装置のうち光学系の構成については参考例に係るシステムと同様であるので、ここではその説明を割愛し、参考例と異なる点についてのみ説明する。
【００３７】
図９は、本実施例に係る内視鏡システムの光源装置の、コネクタ受部の断面図である。ライトガイドコネクタの種類を判別する種類判別手段は、２つの光学式センサー４３、４４と、応動部材４５とから構成される。ライトガイドコネクタの接続の有無を判別する接続判別手段は、光学式センサー４８、チョウバン４９およびコイルばね５０から構成される。応動部材４５は、本実施例においては、２つの遮光部６７、６８を備える。応動部材４５および遮光部６７、６８の作用については、参考例の応動部材２１と同様であるので説明を省略する。チョウバン４９およびコイルばね４９は、光遮断手段として作用する。
【００３８】
図１０は、チョウバン、コイルばねの一例を示す図である。チョウバン４９は、コネクタ受部８に設けられた固定ねじ３０に、凡そ片持ち状態で締結され、常に窪み部２９の斜面６９を押圧するようにコイルばね５０によって付勢されている。ライトガイドコネクタ２２が未接続の場合、チョウバン４９は挿通穴２８を塞いでおり、チョウバン４９曲げ上げ部５１に接着された絶縁シート３２により、光学式センサー４８の検知状態は、「遮蔽物有り」とされる。
【００３９】
内視鏡２のライトガイドコネクタ２２を、コネクタ受部８の挿通穴２８に挿入すると、ライトガイドコネクタ２２の先端により、チョウバン４９は低力量で図９では斜め上方に押し上げられる。チョウバン４９は、その軸を支点に、凡そ円の軌跡を描いて斜め上方に退避する。絶縁シート３２の先端部は、チョウバン４９の斜め上方への退避運動に伴い、チョウバン４９の曲げ上げ部５１に押され、斜め上方に移動する。
【００４０】
絶縁シート３２の移動量は、光学式センサー４８の感知領域よりも大きく設定されている。このため、絶縁シート３２は、ライトガイドコネクタ２２未接続の場合は光学式センサー４８の感知領域内に位置しているが、ライトガイドコネクタ２２を接続した場合は感知領域外へ退避する。これより、絶縁シート３２の移動により、光学式センサー４８は、その感知する領域内の遮蔽物がなくなったとして、その検知状態は「遮蔽物なし」となる。
【００４１】
図１１は、本実施例における、ライトガイドコネクタと種類判別手段との関係を説明する図である。同図中において、ライトガイドコネクタは、それぞれ（ａ）は低輝度用ライトガイドコネクタ２５、（ｂ）は中輝度用ライトガイドコネクタ２３、（ｃ）は高輝度用ライトガイドコネクタ４６である。参考例と同様、（ａ）の低輝度用ライトガイドコネクタ（以下、低輝度コネクタ）２５はフランジ形状が設けられておらず、（ｂ）の中輝度用ライトガイドコネクタ（以下、中輝度コネクタ）２３は高さ寸法Ｘのフランジ部２４が設けられている。（ｃ）の高輝度用ライトガイドコネクタ（以下、高輝度コネクタ）４６は、高さ寸法Ｘ＋Ｙのフランジ部４７が設けられている。
【００４２】
フランジ形状の有無およびフランジ部の高さ寸法により、ライトガイドコネクタを挿通穴２８に挿入したとき、応動部材４５の位置が異なる。（ａ）では、種類判別手段を構成する２つの光学式センサー４３、４４のいずれの感知領域にも入らない。（ｂ）では、応動部材４５の遮光部６７が、ライトガイドコネクタの挿入口から見て手前側の光学式センサー４３の感知領域に入る。（ｃ）では、応動部材４５の遮光部６８が、光学式センサー４４の感知領域に入る。
【００４３】
光学式センサー４３、４４および４８の検知状態の組合せにより、ライトガイドコネクタの接続状態を区分することができる。例えば、光学式センサー４３にて「遮蔽物なし」、光学式センサー４４にて「遮蔽物有り」、光学式センサー４８にて「遮蔽物なし」と検知された場合、（×、○、×）と表すことにする。図１２（ａ）は、本実施例において、正常にライトガイドが接続されたときの３つの光学式センサー４３、４４および４８の検知状態の組合せを示す図である。同図中の「○」あるいは「×」の定義は、参考例と同様である。
【００４４】
図１２（ａ）において、３つの光学式センサー４３、４４および４８の検知状態の組合せは、ライトガイドコネクタの接続状態について、未接続、低輝度コネクタ接続、中輝度コネクタ接続あるいは高輝度コネクタ接続のいずれの状態にあるのかによってそれぞれ（×、×、○）、（×、×、×）、（○、×、×）あるいは（×、○、×）となり、全て異なる。このため、３つの光学式センサーの検知状態の組合せにより、ライトガイドコネクタの接続状態を判断することができる。
【００４５】
図１２（ｂ）は、本実施例において、光学式センサー４３が故障した場合の、３つの光学式センサーの検知状態の組合せを示す図である。光学式センサー４３が遮蔽物の有無を正しく検知できない場合、中輝度コネクタが接続されている状態であっても、誤認識により低輝度コネクタが接続されているのと同じ検知状態（×、×、×）を示す。光学式センサーの検知状態に基づいて、実際には中輝度コネクタが接続されていても、照明光の光量は、図３の制限手段１８により、低輝度コネクタが接続されている場合の適切な光量に調整される。
【００４６】
図１２（ｃ）は、光学式センサー４４が故障した場合の、３つの光学式センサーの検知状態の組合せを示す図である。高輝度コネクタの接続状態を正しく認識することができず、実際は高輝度コネクタが接続されていても、検知状態は（×、×、×）となり、低輝度コネクタが接続されていると誤認識する。照明光の光量は、光学式センサーの検知状態に基づいて行われるので、高輝度コネクタが接続されている場合であっても、図３の制限手段１８により、低輝度コネクタ接続時の光量に調整される。
【００４７】
図１２（ｄ）は、光学式センサー４８が故障した場合の、３つの光学式センサーの検知状態の組合せを示す図である。ライトガイドコネクタの接続の有無を正しく認識することができず、実際はライトガイドコネクタが未接続であっても、検知状態は（×、×、×）となり、低輝度コネクタが接続されていると誤認識する。この場合であっても、照明光はチョウバン４９によって遮断されており、光源装置１の外部に漏れ出すことはない。
【００４８】
図１３は、ライトガイドコネクタの接続時に、光源装置１の応動部材４５がライトガイドコネクタのフランジ部に固着した場合における３つの光学式センサーの検知状態の組合せを示す図である。ここで言う固着とは、応動部材を付勢するばね等の弾性力が効かなくなり、ライトガイドコネクタの挿入、抜去によっても、応動部材が自在に移動できずにある位置に留まった状態を表す。
【００４９】
応動部材４５が高輝度コネクタ４６の接続時にそのフランジ部４７に固着したとする。図１３（ａ）は、高輝度用コネクタ接続時に、フランジ部４７の位置にて応動部材が固着した場合における、３つの光学式センサーの検知状態の組合せを示す図である。高輝度コネクタ４６接続中における固着により、高輝度コネクタ４６の抜去後、ライトガイドコネクタ未接続の状態になっても、光学式センサー４４は依然「遮蔽物有り」と認識し、検知状態は高輝度コネクタ４６接続状態の（×、○、×）から（×、○、○）に変わる。
【００５０】
ライトガイドコネクタ未接続時、（×、○、○）の状態の信号を受けた制御部は、光源装置１のコネクタ受部８の状態について何らかの故障が発生していると認識し、動作モードを「故障モード」に切り替える。故障モードでは、照明光を低輝度コネクタ接続時における小光量に調整し、図８の操作パネル３６上で、点滅表示等によって操作者に故障の発生を通知する。
【００５１】
応動部材４５が高輝度用コネクタ接続時にそのフランジ部４７の位置で固着した場合、高輝度コネクタ４６の抜去後、誤って低輝度コネクタ２５あるいは中輝度コネクタ２３を接続することがある。この場合、検知状態は正常な状態で高輝度コネクタを接続した場合と同様（×、○、×）となる。しかし、さきに動作モードを故障モードに切り替えているので、光量は低輝度コネクタ２５接続時の光量が出射され、大光量の照明光が光源装置１から出射されることはない。
【００５２】
図１３（ｂ）は、中輝度用コネクタ接続時に、フランジ部２４の位置にて応動部材が固着した場合における、３つの光学式センサーの検知状態の組合せを示す図である。中輝度コネクタ２３接続中における固着により、中輝度コネクタ２３の抜去後、ライトガイドコネクタ未接続の状態になっても、光学式センサー４３は依然「遮蔽物有り」と認識し、検知状態は（○、×、×）から（○、×、○）に変わる。
【００５３】
ライトガイドコネクタ未接続時、（○、×、○）の信号を受けた制御部は、光源装置１のコネクタ受部８の状態について、何らかの故障が発生していると認識し、動作モードを「故障モード」に切り替える。故障モードでは、照明光を低輝度コネクタ接続時における小光量に調整し、図８の操作パネル３６上で、点滅表示等によって操作者に故障の発生を通知する。
【００５４】
応動部材４５が、中輝度用コネクタ接続時にそのフランジ部２４の位置で固着したとする。中輝度用コネクタを抜去した後、誤って低輝度コネクタ２５を接続することがある。応動部材４５は固着しているため、検知状態は正常な状態で中輝度コネクタを接続した場合と同様（○、×、×）となる。しかし、中輝度コネクタ２３の抜去後、応動部材４５の固着を認識しているので、動作モードは故障モードに切り替えられている。このため、応動部材４５の固着によって低輝度コネクタの接続を中輝度コネクタの接続と誤認識されるような場合であっても、光量は低輝度コネクタ２５接続時の光量に調整され、大光量の照明光が光源装置１から出射されることはない。
【００５５】
同様に、応動部材４５が中輝度用コネクタ接続時にフランジ部２４の位置で固着した後、中輝度コネクタ２３を抜去して高輝度コネクタ４６を接続した場合を考える。応動部材４５は、固着状態にある場合であっても高輝度コネクタ４６によって強制的に図９の右方に移動される。３つの光学式センサーの検知状態は（×、○、×）となり、正常な状態における高輝度コネクタ接続時と同じ検知状態を示す。かかる場合であっても、中輝度コネクタ２３を抜去した際に応動部材４５の固着を認識しているので、動作モードは故障モードに切り替えられており、大光量の照明光が光源装置１から出射されることはない。
【００５６】
また、絶縁シート３２の脱落による故障については、図１２（ｄ）を参照して説明した光学式センサー４８の故障の場合と同様の処理がなされる。
本実施例においても、３つの光学式センサーの検知状態の組合せに基づいて、光源装置１の操作パネル上の表示を切り替えることができる。先の参考例と同様、例えば図８のような操作パネル３６が用いられる。操作パネル３６上に配置された各種スイッチ３７や表示用ＬＥＤ３８の種類については、参考例と同様である。
【００５７】
輝度スイッチ３９は、照明光を高輝度や低輝度に切り替えるスイッチであり、例えば、高輝度の照明光に耐性を有する、外科用ライトガイドを接続するときに使用する。送気／送水スイッチ４１は、送気や送水の機能のオン／オフを切り替えるスイッチである。透過照明スイッチ４２は、一定時間のみ大光量を照射して体腔内の内視鏡位置を目視にて確認する際に用いられる、透過照明機能を実現するスイッチである。送気／送水スイッチ４１と透過照明スイッチ４２とは、消化管用軟性鏡のみで使用される。なお、ここでの消化管用軟性鏡は、中輝度で使用されるものとする。
【００５８】
本実施例における操作パネル３６の表示の切り替えを、例を挙げて説明する。中輝度で使用される消化管用軟性鏡のライトガイドを接続するときは、輝度スイッチ３９をオフに設定し、輝度表示ＬＥＤ４０を消灯させる。送気／送水スイッチ４１および透過照明スイッチ４２をオンに設定し、透過照明表示ＬＥＤ４３を点灯させる。
【００５９】
外科用ライトガイド等の、高輝度で使用されるライトガイドを接続するときは、輝度スイッチ３９をオンに設定し、輝度表示ＬＥＤ４０を点灯させる。使用しない送気／送水スイッチ４１および透過照明スイッチ４２はオフに設定し、透過照明表示ＬＥＤ４３を消灯させる。
【００６０】
低輝度で使用されるライトガイドの接続あるいはライトガイド未接続の状態においては、騒音を低減させるため、光源装置１内部のポンプ駆動を停止させる。加えて、操作パネル３６上の設定３７スイッチや表示用ＬＥＤ３８によって示される機能はいずれも用いないとして、全ての設定３７スイッチをオフに設定し、表示用ＬＥＤ３８を消灯させる。
【００６１】
以上説明したように、本実施の形態における光源装置によれば、接続されるライトガイドコネクタの種類を判別する種類判別手段が、２個の光学式センサーから構成される。低輝度用コネクタ、中輝度用コネクタあるいは高輝度用コネクタと、更に多くの種類のライトガイドコネクタの判別が可能とされる。また、ライトガイドコネクタ未接続の際に照明光が光源装置外部に漏れることを防止する光遮断手段が、チョウバンにより構成されている。ライトガイドコネクタが挿入されると、チョウバンの曲げ上げ部は凡そ円の軌跡を描いて移動する。チョウバンを用いることで、この軌跡のばらつきを考慮して十分にクリアランスを取らなくとも、安定した軌跡が得られる。したがって、より省スペースな内視鏡用光源装置を実現することができる。
【００６２】
なお、本実施例においては３つの光学式センサー、チョウバンを用いているが、これに限られるものではない。例えば、参考例の光源装置において光遮断手段としてチョウバンを用いることや、本実施例の光源装置において光遮断手段として遮光ばねを用いること等でもよい。光学式センサーの数についても、上記参考例や実施例においては２個あるいは３個用いる場合の光源装置について説明したが、それ以上設けることとしてもよい。
【００６３】
この他、本発明は以上の例に限定されることなく、更に種々変形して実施することができる。
（付記１）
照明光を発生する光源ランプと、
内視鏡のライトガイドコネクタが着脱自在に接続されるコネクタ受と、
前記コネクタ受にライトガイドコネクタが接続されたか否かを判別する接続判別手段と、
前記コネクタ受に接続されたライトガイドコネクタの種類を判別する種類判別手段と、
前記接続判別手段および前記種類判別手段の判別結果に基づいて制御を行う制御部と
を備えることを特徴とする内視鏡用光源装置。
（付記２）
前記制御部は、前記光源ランプの光量を設定することを特徴とする付記１に記載の内視鏡用光源装置。
（付記３）
前記光源ランプから発せられた照明光の光路上に配置され、前記ライトガイドコネクタが未接続であるとき、前記コネクタ受からの照明光を遮断する光遮断手段と
を更に備えることを特徴とする付記１あるいは２に記載の内視鏡用光源装置。
（付記４）
前記光遮断手段は、前記ライトガイドコネクタが未接続であるときに前記コネクタ受からの照明光を遮断する第１の位置と、前記ライトガイドコネクタが接続されたときに前記第１の位置から退避する第２の位置との間を移動自在であり、
前記接続判別手段は、前記光遮断手段が前記第１および第２の位置のいずれの位置にあるかを検知し、前記光遮断手段が前記第１の位置にあることを検知したときは前記コネクタ受にライトガイドコネクタが接続されていないと判別し、前記光遮断手段が前記第２の位置にあることを検知したときは前記コネクタ受にライトガイドコネクタが接続されていると判別する
ことを特徴とする付記３に記載の内視鏡用光源装置。
（付記５）
前記種類判別手段は、
前記コネクタ受に対する前記ライトガイドコネクタの挿脱方向に沿って移動自在であって、前記コネクタ受に接続される前記ライトガイドコネクタの種類に応じた位置に移動する応動部材と、
該応動部材の移動位置を検知する検知手段とを備え、
該検知手段により検知された移動位置に基づき、前記コネクタ受に接続されたライトガイドコネクタの種類を判別する
ことを特徴とする付記１から４のいずれか１つに記載の内視鏡用光源装置。
（付記６）
前記光遮断手段は、弾性部材から構成されている
ことを特徴とする付記３に記載の内視鏡用光源装置。
（付記７）
前記光遮断手段は、蝶番から構成されている
ことを特徴とする付記３に記載の内視鏡用光源装置。
（付記８）
前記制御部は、前記接続判別手段および前記種類判別手段の判別結果に基づいて、該内視鏡光源装置の設定スイッチあるいは表示部を切り替えることを特徴とする付記１から７のいずれか１つに記載の内視鏡用光源装置。
【図面の簡単な説明】
【００６４】
【図１】本発明の参考例に係る内視鏡システムの全体構成についての概略図である。
【図２】内視鏡システムの光源装置の概略図である。
【図３】光源装置の光学系の構成図である。
【図４】参考例に係る、光源装置のコネクタ受部の断面図である。
【図５】遮光ばねの一例を示す図である。
【図６】参考例における、ライトガイドコネクタと種類判別手段との関係を説明する図である。
【図７】参考例における、２つの光学式センサーの検知状態の組合せを示す図である。
【図８】参考例における操作パネルの一例である。
【図９】実施例に係るコネクタ受部の断面図である。
【図１０】チョウバン、コイルばねの一例を示す図である。
【図１１】実施例における、ライトガイドコネクタと種類判別手段との関係を説明する図である。
【図１２】実施例における、３つの光学式センサーの検知状態の組合せを示す図である。
【図１３】応動部材が固着した場合における３つの光学式センサーの検知状態の組合せを示す図である。
【図１４】従来技術に係る内視鏡用光源装置の構造を説明する図である。
【符号の説明】
【００６５】
１      光源装置
２      内視鏡
３      内視鏡システム
１０    光源装置
２０    光学式センサー
２１    応動部材
２６    光学式センサー
２７    遮光ばね
６３、６７、６８    遮光部
【図１】
0004733931.tif 000002
【図２】
0004733931.tif 000003
【図３】
0004733931.tif 000004
【図４】
0004733931.tif 000005
【図５】
0004733931.tif 000006
【図６】
0004733931.tif 000007
【図７】
0004733931.tif 000008
【図８】
0004733931.tif 000009
【図９】
0004733931.tif 000010
【図１０】
0004733931.tif 000011
【図１１】
0004733931.tif 000012
【図１２】
0004733931.tif 000013
【図１３】
0004733931.tif 000014
【図１４】
0004733931.tif 000015